(57)【要約】【課題】面光源を用いて光を照射する光源装置、あるいは面光源を用いて光を照射する光源装置を備えた画像読み取り装置において照度ムラを抑制する。【解決手段】スキャナ光源３１において、第１の有機ＥＬ素子３１Ｌには給電端子３６が、第２の有機ＥＬ素子３１Ｒには給電端子３７が電気的に接続している。このとき、給電端子３６は第１の有機ＥＬ素子３１Ｌの主走査方向の手前側にて配置され、給電端子３７は第２の有機ＥＬ素子３１Ｒの主走査方向の奥側に配置されている。そして、スキャナ光源３１全体として、光照射対象である原稿の主走査方向にわたって均一に光を照射し、照度ムラを抑制することができる。【選択図】図２
2010074720.tif 000002
【特許請求の範囲】
【請求項１】
原稿の画像を読み取るセンサと、
原稿の主走査方向に伸びて設けられて、当該原稿の画像読み取り位置に向けて光を照射する面光源と、
原稿を反射した光を前記センサに結像するレンズとを備え、
前記面光源は、
長尺状の形状を有する第１の面発光部と、
前記主走査方向の一端側に設けられ、前記第１の面発光部に電気的に接続して当該第１の面発光部に給電する第１の給電端子と、
長尺状の形状を有する第２の面発光部と、
前記主走査方向の他端側に設けられ、前記第２の面発光部に電気的に接続して当該第２の面発光部に給電する第２の給電端子と
を備えたことを特徴とする画像読み取り装置。
【請求項２】
前記面光源は、基材と、第１電極層と、第２電極層と、当該第１電極層と当該第２電極層との間に設けられる発光層とを有する有機エレクトロルミネッセンス素子であることを特徴とする請求項１記載の画像読み取り装置。
【請求項３】
前記レンズは、縮小レンズであり、
前記第１の面発光部と前記第２の面発光部とは、前記第１電極層が長手方向の中央部で分割されてそれぞれ形成されることを特徴とする請求項２記載の画像読み取り装置。
【請求項４】
一端から他端に向けて一方向に伸びる第１の面発光部と、
前記第１の面発光部の前記一端にて当該第１の面発光部に電気的に接続し、当該第１の面発光部に給電する第１の給電端子と、
一端から他端に向けて一方向に伸びる第２の面発光部と、
前記第２の面発光部の前記一端にて当該第２の面発光部に電気的に接続し、当該第２の面発光部に給電する第２の給電端子とを備え、
前記第１の面発光部と前記第２の面発光部とを並べて配置することで長尺状光源を形成し、当該長尺状光源の一端側に前記第１の給電端子が配置され、当該長尺状光源の他端側に前記第２の給電端子が配置されることを特徴とする光源装置。
【請求項５】
前記長尺状光源は、前記第１の面発光部の前記一端と前記第２の面発光部の前記他端とが対峙して並列に配置されることを特徴とする請求項４記載の光源装置。
【請求項６】
前記長尺状光源は、前記第１の面発光部の前記他端と前記第２の面発光部の前記他端とが対向して直列に配置されることを特徴とする請求項４記載の光源装置。
【請求項７】
前記長尺状光源は、矩形状を有し、
前記第１の給電端子は前記第１の面発光部の短辺に、前記第２の給電端子は前記第２の面発光部の短辺にそれぞれ取り付けられることを特徴とする請求項５又は６記載の光源装置。
【発明の詳細な説明】
【技術分野】
【０００１】
本発明は、画像読み取り装置および光源装置に関する。
【背景技術】
【０００２】
複写機やファクシミリ等の読み取り装置、コンピュータ入力用のスキャナ等として、原稿の画像情報を自動的に読み取る画像読み取り装置が用いられている。この種の画像読み取り装置では、光源を用いて原稿に光を照射し、原稿から反射する反射光をセンサにて受光することで原稿の画像を読み取っている。
【０００３】
また、最近では、蛍光管やＬＥＤ（発光ダイオード）等の光源に代わって、例えば有機ＥＬ（エレクトロルミネッセンス）素子等の面光源を用いた各種機器が実用化され始めている。この有機ＥＬ素子を画像読み取り装置に適用した先行技術として、例えば特許文献１には、面光源として有機ＥＬ素子を用い、原稿を載せる透明板を有機ＥＬ素子のガラス基板として共用する技術が記載されている。
【特許文献１】特開２００１−２８６６５号公報
【発明の開示】
【発明が解決しようとする課題】
【０００４】
ところで、面光源の一つである有機ＥＬ素子を発光させる際には、有機ＥＬ素子の電極層に電荷（電子および正孔）を注入する。このとき有機ＥＬ素子を構成する電極層自体の抵抗により、電荷を注入する給電端子から遠い位置の光量が近い位置に比べて低下することがある。一方、画像読み取り装置では、原稿に光を照射する光源の照度ムラを考慮し、一般的にセンサで読み取った画像データに対し照度ムラを補正する処理が施される。しかしながら、上述のような画像データに対する補正は、読み取り画像データの解像度の低下につながる。
【０００５】
本発明は、面光源を用いて光を照射する光源装置、あるいは面光源を用いて光を照射する光源装置を備えた画像読み取り装置において照度ムラを抑制することを目的とする。
【課題を解決するための手段】
【０００６】
請求項１に係る発明は、原稿の画像を読み取るセンサと、原稿の主走査方向に伸びて設けられて、当該原稿の画像読み取り位置に向けて光を照射する面光源と、原稿を反射した光を前記センサに結像するレンズとを備え、前記面光源は、長尺状の形状を有する第１の面発光部と、前記主走査方向の一端側に設けられ、前記第１の面発光部に電気的に接続して当該第１の面発光部に給電する第１の給電端子と、長尺状の形状を有する第２の面発光部と、前記主走査方向の他端側に設けられ、前記第２の面発光部に電気的に接続して当該第２の面発光部に給電する第２の給電端子とを備えたことを特徴とする画像読み取り装置である。
【０００７】
請求項２に係る発明は、前記面光源は、基材と、第１電極層と、第２電極層と、当該第１電極層と当該第２電極層との間に設けられる発光層とを有する有機エレクトロルミネッセンス素子であることを特徴とする請求項１記載の画像読み取り装置である。
請求項３に係る発明は、前記レンズは、縮小レンズであり、前記第１の面発光部と前記第２の面発光部とは、前記第１電極層が長手方向の中央部で分割されてそれぞれ形成されることを特徴とする請求項２記載の画像読み取り装置である。
【０００８】
請求項４に係る発明は、一端から他端に向けて一方向に伸びる第１の面発光部と、前記第１の面発光部の前記一端にて当該第１の面発光部に電気的に接続し、当該第１の面発光部に給電する第１の給電端子と、一端から他端に向けて一方向に伸びる第２の面発光部と、前記第２の面発光部の前記一端にて当該第２の面発光部に電気的に接続し、当該第２の面発光部に給電する第２の給電端子とを備え、前記第１の面発光部と前記第２の面発光部とを並べて配置することで長尺状光源を形成し、当該長尺状光源の一端側に前記第１の給電端子が配置され、当該長尺状光源の他端側に前記第２の給電端子が配置されることを特徴とする光源装置である。
【０００９】
請求項５に係る発明は、前記長尺状光源は、前記第１の面発光部の前記一端と前記第２の面発光部の前記他端とが対峙して並列に配置されることを特徴とする請求項４記載の光源装置である。
請求項６に係る発明は、前記長尺状光源は、前記第１の面発光部の前記他端と前記第２の面発光部の前記他端とが対向して直列に配置されることを特徴とする請求項４記載の光源装置である。
請求項７に係る発明は、前記長尺状光源は、矩形状を有し、前記第１の給電端子は前記第１の面発光部の短辺に、前記第２の給電端子は前記第２の面発光部の短辺にそれぞれ取り付けられることを特徴とする請求項５又は６記載の光源装置である。
【発明の効果】
【００１０】
請求項１記載の発明によれば、本構成を有しない場合と比較して、面光源を用いて光を照射する光源装置を備えた画像読み取り装置における照度ムラを抑制することが可能となる。
請求項２記載の発明によれば、本構成を有しない場合と比較して、例えば消費電力を低減することが可能となる。
請求項３記載の発明によれば、本構成を有しない場合と比較して、例えば縮小レンズにおけるコサイン４乗則の光量低下を考慮した光照射を行うことができる。
【００１１】
請求項４記載の発明によれば、本構成を有しない場合と比較して、複数の面発光部を備えた長尺状光源における照度ムラをより抑制することが可能となる。
請求項５記載の発明によれば、本構成を有しない場合と比較して、長尺状光源の一端側から他端側にわたって光量の落ち込みをより低減することができる。
請求項６記載の発明によれば、本構成を有しない場合と比較して、長尺状光源の一端側から他端側にわたって光量の均一化を図ることが可能となる。
請求項７記載の発明によれば、本構成を有しない場合と比較して、光源装置の厚み方向の幅をより小さくすることができる。
【発明を実施するための最良の形態】
【００１２】
以下、添付図面を参照して、本発明の実施形態について説明する。
＜実施形態１＞
図１は、実施形態１が適用される画像読み取り装置１の全体構成を示す図である。画像読み取り装置１は、積載された原稿束から原稿Ｐを順次搬送する原稿送り装置１０と、画像を読み込むスキャナ装置２０とを備えている。
【００１３】
原稿送り装置１０は、原稿束を積載する原稿収容部１１、読み取りが終了した原稿Ｐを積載する排紙収容部１２を備える。また、原稿送り装置１０は、原稿収容部１１から原稿Ｐを取り出して搬送する繰出しロール１３を備える。繰出しロール１３の原稿搬送方向下流側には、原稿Ｐを１枚ずつに捌く捌きロール１４が設けられる。この捌きロール１４は、繰出しロール１３により供給される原稿Ｐを１枚ずつに捌きながら、供給される原稿Ｐをさらに下流側に向けて搬送する。原稿Ｐが搬送される搬送路１５には、原稿搬送方向上流側から順に、レジロール１６、搬送ロール１７、プラテンロール１８、アウトロール１９Ａ、および排出ロール１９Ｂが設けられる。なお、以下の説明では、原稿Ｐが原稿収容部１１に積載された状態で画像読み取り装置１の上側を向く面を原稿Ｐの表面と呼ぶ。
【００１４】
レジロール１６は、原稿Ｐにレジストレーション調整を施しながら、原稿Ｐを後述する原稿読み取り系に供給する。搬送ロール１７は、搬送される原稿Ｐをプラテンロール１８に向けさらに搬送する。プラテンロール１８は、スキャナ装置２０にて読み込み中の原稿Ｐの搬送をアシストする。アウトロール１９Ａは、スキャナ装置２０にて読み込まれた原稿Ｐをさらに下流に搬送する。そして、排出ロール１９Ｂは、読み込まれた原稿Ｐをさらに搬送するとともに排紙収容部１２に排出する。
【００１５】
また、図１に示すように、原稿送り装置１０は、プラテンロール１８とアウトロール１９Ａとの間にＣＩＳ（Contact Image Sensor）ユニット４０を備えている。ＣＩＳユニット４０は、原稿Ｐに向けて光を照射するＣＩＳ光源４１と、光学像を読み取るラインセンサ４３とを有している。なお、図１に示すように、ＣＩＳユニット４０は、搬送路１５の内側に設けられており原稿Ｐの裏面の画像を読み取るものである。
【００１６】
スキャナ装置２０は、上述した原稿送り装置１０を開閉可能に支持するとともに、原稿送り装置１０によって搬送される原稿Ｐの画像読み取りを行う。スキャナ装置２０は、搬送路１５の外側に配置されており、原稿Ｐの表面を読み取るものである。また、スキャナ装置２０は、読み取りの際に原稿Ｐを静止した状態で載せておく第１プラテンガラス２２Ａ、後述する搬送読み取りの際に原稿送り装置１０によって搬送される原稿Ｐを読み取るための光の開口部を有する第２プラテンガラス２２Ｂを備えている。
なお、以下の説明において、第１プラテンガラス２２Ａと第２プラテンガラス２２Ｂとを区別しない場合には、プラテンガラス２２とよぶ。
【００１７】
スキャナ装置２０は、第２プラテンガラス２２Ｂの下に静止し、あるいは第１プラテンガラス２２Ａの全体にわたって走査して画像を読み込むフルレートキャリッジ２３、フルレートキャリッジ２３から得られた光を結像部へ供給するハーフレートキャリッジ２４を備えている。光源装置の一つとしてのフルレートキャリッジ２３には、原稿Ｐに光を照射するスキャナ光源３１、原稿Ｐから得られた反射光を受光する第１ミラー２５Ａが設けられている。一方、ハーフレートキャリッジ２４には、第１ミラー２５Ａから得られた光を結像部へ供給する第２ミラー２５Ｂおよび第３ミラー２５Ｃが設けられている。
【００１８】
また、スキャナ装置２０は、結像用レンズ２６とＣＣＤイメージセンサ２７とを備えている。これらのうち、結像用レンズ２６は、第３ミラー２５Ｃから得られた光学像を光学的に縮小する。ＣＣＤイメージセンサ２７は、結像用レンズ２６により結像された光学像を光電変換する。即ち、スキャナ装置２０は、いわゆる縮小光学系による画像読み取りを行うものである。
【００１９】
スキャナ装置２０は、制御部２８をさらに備えている。制御部２８は、スキャナ装置２０の画像読み取り動作における各部の制御や、読み取られた画像データの処理等を行う。また、制御部２８は、原稿送り装置１０における各種モータ、ロール等の動作や、ＣＩＳユニット４０における画像読み取り動作等の制御を行う。なお、制御部２８における上記の機能はプログラムにより制御されたＣＰＵ等によって実現される。
【００２０】
また、スキャナ装置２０は、第１プラテンガラス２２Ａと第２プラテンガラス２２Ｂとの間に、原稿送り装置１０において搬送される原稿を案内するガイド８１が設けられており、さらにガイド８１の下部には、原稿の搬送方向に直交する方向（主走査方向に対応）に沿って伸びる白基準板８２が装着されている。
【００２１】
白基準板８２は、白色の部材であり、スキャナ光源３１の光照射方向と対向して配置されている。この白基準板８２は、原稿Ｐの主走査方向の照度分布に対応する補正用データ(シェーディングデータ)を取得する際に用いるものである。本実施の形態の画像読み取り装置１では、白基準板８２に対してスキャナ光源３１から光を照射し、白基準板８２から反射した反射光をＣＣＤイメージセンサ２７にて読み取り、原稿Ｐの主走査方向の照度分布に対応する補正用データ(シェーディングデータ)を予め取得する。そして、実際の原稿読み取り動作時には、原稿Ｐを読み取って得られた画像データに対し、シェーディングデータを用いて補正(シェーディング補正)を行う。
なお、ＣＩＳユニット４０におけるＣＩＳ光源４１のシェーディング補正については、例えばガイド８１に白色の部材を用いて、同様にシェーディング補正を行っても良い。
【００２２】
図２は、スキャナ光源３１について説明するための図である。
図２（ａ）は図１に示す画像読み取り装置１と同じ方向から見たフルレートキャリッジ２３であり、図２（ｂ）はプラテンガラス２２側から見たフルレートキャリッジ２３である。なお、図１に示す画像読み取り装置１の紙面手前を「手前側」とし、紙面奥を「奥側」として以下の説明を行う。
スキャナ光源３１は、原稿Ｐの画像読み取りの際に原稿Ｐに向けて光を照射するものであり、面状光源である。また、実施形態１が適用される面光源あるいは長尺状光源としてのスキャナ光源３１には有機ＥＬ（エレクトロルミネッセンス）素子を用いている。
【００２３】
スキャナ光源３１は、第１の面発光部として機能する第１の有機ＥＬ素子３１Ｌと第２の面発光部として機能する第２の有機ＥＬ素子３１Ｒとを有している。そして、図２（ａ）に示す例では、第１の有機ＥＬ素子３１Ｌは画像読み取り位置を挟んで左側に、第２の有機ＥＬ素子３１Ｒは右側に取り付けられている。また、図２（ｂ）に示すように、第１の有機ＥＬ素子３１Ｌおよび第２の有機ＥＬ素子３１Ｒは、矩形状且つ平板状であり主走査方向に伸びて設けられている。また、第１の有機ＥＬ素子３１Ｌと第２の有機ＥＬ素子３１Ｒとは、略平行に取り付けられている。そして、第１の有機ＥＬ素子３１Ｌおよび第２の有機ＥＬ素子３１Ｒの発光面は、それぞれ画像読み取り位置に向けられている。なお、本実施形態における有機ＥＬ素子の長手方向の長さは、読み取り対象である原稿Ｐの主走査方向の長さ（例えばＡ４長手幅２９７ｍｍ）に対応したサイズとなっている。
【００２４】
第１の有機ＥＬ素子３１Ｌおよび第２の有機ＥＬ素子３１Ｒは、図２（ａ）に示すように、ガラス基材３２と、ガラス基材３２の上に形成される透明正極３３、さらに透明正極３３の上に積層される発光層３４、および発光層３４の上に形成される負極３５をそれぞれ備えている。なお、本実施形態では、透明正極３３が第１電極層として機能し、負極３５が第２電極層として機能している。
【００２５】
そして、図２（ａ）に示すように、第１の有機ＥＬ素子３１Ｌには、給電端子３６が電気的に接続している。給電端子３６は、正極端子３６Ｐと負極端子３６Ｎとを備えており、正極端子３６Ｐが透明正極３３に、負極端子３６Ｎが負極３５に各々接続している。また、図２（ｂ）に示すように、給電端子３６は第１の有機ＥＬ素子３１Ｌの手前側に取り付けられている。さらに、給電端子３６は、矩形状を有する第１の有機ＥＬ素子３１Ｌの長手方向の端部（短辺）に取り付けられている。
【００２６】
一方、第２の有機ＥＬ素子３１Ｒには、給電端子３７が電気的に接続している。給電端子３７は、正極端子３７Ｐと負極端子３７Ｎとを備えており、正極端子３７Ｐが透明正極３３に接続し、負極端子３７Ｎが負極３５に接続している（不図示）。また、図２（ｂ）に示すように、給電端子３７は第２の有機ＥＬ素子３１Ｒの奥側に取り付けられている。このとき、給電端子３７は、給電端子３６と同様に、矩形状を有する第２の有機ＥＬ素子３１Ｒの長手方向の端部（短辺）に取り付けられる。
また、給電端子３６および給電端子３７は、それぞれ制御部２８によって制御される電源（不図示）に接続している。
【００２７】
上記の内容をまとめると、図２（ｂ）に示すように、第１の有機ＥＬ素子３１Ｌは、一端３１Ｌ１から他端３１Ｌ２に向けて一方向に伸びている。一方、第２の有機ＥＬ素子３１Ｒは、一端３１Ｒ１から他端３１Ｒ２に向けて一方向に伸びている。そして、第１の有機ＥＬ素子３１Ｌの一端３１Ｌ１と第２有機ＥＬ素子３１Ｒの他端３１Ｒ２とが（あるいは第１の有機ＥＬ素子３１Ｌの他端３１Ｌ２と第２有機ＥＬ素子３１Ｒの一端３１Ｒ１とが）、対峙するように並列に配置されてスキャナ光源３１を構成している。
また、スキャナ光源３１全体を長尺状光源としてみたときに、スキャナ光源３１の一端側（図２の例では手前側）に給電端子３６が配置され、スキャナ光源３１の他端側（図２の例では奧側）に給電端子３７が配置されている。
【００２８】
上述したように、第１の有機ＥＬ素子３１Ｌに接続する給電端子３６と、第２の有機ＥＬ素子３１Ｒに接続する給電端子３７とは、それぞれ手前側（一端側）、奥側（他端側）といったように主走査方向に互い違いに取り付けられている（図２（ｂ）参照）。
なお、実施形態１の画像読み取り装置１では、給電端子３６と給電端子３７とを、それぞれ第１の有機ＥＬ素子３１Ｌあるいは第２の有機ＥＬ素子３１Ｒの短辺に取り付けることにより、フルレートキャリッジ２３の厚み（図２（ａ）に示すフルレートキャリッジ２３の上下方向の幅）、ひいてはスキャナ装置２０の厚みを小さくしている。
【００２９】
次に、図３を参照しながら、ＣＩＳユニット４０について詳細に説明する。
図３（ａ）は図１に示す画像読み取り装置１と同じ方向から見たＣＩＳユニット４０の拡大図であり、図３（ｂ）は図１に示す状態にてスキャナ装置２０側からみたＣＩＳユニット４０である。
光源装置の一つとしてのＣＩＳユニット４０は、原稿Ｐに向けて光を照射するＣＩＳ光源４１と、原稿Ｐを反射した光をラインセンサ４３に結像する等倍レンズアレイ４２と、等倍レンズアレイ４２によって結像された光学像を光電変換するラインセンサ４３とを含んで構成される。すなわちＣＩＳユニット４０は、いわゆる等倍光学系により画像読み取りを行うものである。なお、ラインセンサ４３には、ＣＣＤやＣＭＯＳ(Complementary Metal Oxide Semiconductor)センサ、密着型センサ等を用いることができる。
【００３０】
面光源あるいは長尺状光源としてのＣＩＳ光源４１は、原稿Ｐの画像読み取りの際に原稿Ｐに向けて光を照射するものである。実施形態１が適用されるＣＩＳ光源４１には、スキャナ光源３１と同様に第１の有機ＥＬ素子３１Ｌ及び第２の有機ＥＬ素子３１Ｒを用いている。そして、ＣＩＳ光源４１は、図３（ａ）に示す例では、画像読み取り位置を挟んで左側に取り付けられた第１の有機ＥＬ素子３１Ｌと、右側に取り付けられた第２の有機ＥＬ素子３１Ｒとを有している。
【００３１】
また、図３（ｂ）に示すように、ＣＩＳユニット４０において、第１の有機ＥＬ素子３１Ｌの手前側に給電端子３６が、第２の有機ＥＬ素子３１Ｒの奧側に給電端子３７が電気的に接続している。なお、第１の有機ＥＬ素子３１Ｌと給電端子３６との電気的な接続、第２の有機ＥＬ素子３１Ｒと給電端子３７との電気的な接続の詳細については、上述したスキャナ光源３１と同様である。
また、実施形態１のＣＩＳユニット４０においても、給電端子３６および給電端子３７を各々第１の有機ＥＬ素子３１Ｌ、第２の有機ＥＬ素子３１Ｒの短辺に取り付けて、ＣＩＳユニット４０の厚み、ひいては原稿送り装置１０の厚みを小さくしている。
【００３２】
ここで、実施形態１が適用される画像読み取り装置１の読み取り動作について説明する。
原稿収容部１１から搬送路１５を搬送されてきた原稿Ｐが第２プラテンガラス２２Ｂの上を通過するとき、フルレートキャリッジ２３およびハーフレートキャリッジ２４は、図１に実線で示す位置に停止した状態に待機する。このとき、不図示の電源により、給電端子３６および給電端子３７に電圧が印可される。そして、第１の有機ＥＬ素子３１Ｌおよび第２の有機ＥＬ素子３１Ｒが発光し、原稿Ｐの表面に向けてスキャナ光源３１から光が照射される。原稿Ｐを反射した反射光は、第１ミラー２５Ａ、第２ミラー２５Ｂ、および第３ミラー２５Ｃを経て結像用レンズ２６に供給される。さらに、結像用レンズ２６により結像された光学像をＣＣＤイメージセンサ２７が読み取る。このような画像読み取りが原稿Ｐの副走査方向にわたって行われ、原稿Ｐの表面１枚分の原稿読み取りが完了する。
【００３３】
一方、ＣＩＳユニット４０では、原稿Ｐが画像読み取り位置に到達すると、上述したようにＣＩＳ光源４１における第１の有機ＥＬ素子３１Ｌおよび第２の有機ＥＬ素子３１Ｒに電圧が印可され、ＣＩＳ光源４１から原稿Ｐに向けて光が照射される。そして、等倍レンズアレイ４２によって結像された光学像をラインセンサ４３が読み取る。このような画像読み取りが原稿Ｐの副走査方向にわたって行われ、原稿Ｐの裏面１枚分の原稿読み取りが完了する。
以上のように、実施形態１の画像読み取り装置１は、１回の搬送にて原稿Ｐの表裏面の画像読み取りを実行する。なお、原稿Ｐの表面のみを読み取る場合には、ＣＩＳユニット４０による原稿Ｐの裏面の読み取り動作は実行しない。
【００３４】
また、第１プラテンガラス２２Ａの上に原稿Ｐを載せて読み取る固定読み取りの場合、原稿Ｐが第１プラテンガラス２２Ａの上にセットされ、読み取りが開始されると、フルレートキャリッジ２３とハーフレートキャリッジ２４とが、２：１の割合で画像読み取り方向（図１白抜き矢印方向）に移動を開始する。このとき、上述したようにフルレートキャリッジ２３のスキャナ光源３１から原稿Ｐに向けて光が照射される。そして、原稿Ｐからの反射光は、第１ミラー２５Ａ、第２ミラー２５Ｂ、および第３ミラー２５Ｃの順に反射され結像用レンズ２６に導かれる。結像用レンズ２６に導かれた光は、ＣＣＤイメージセンサ２７の受光面に結像される。以上のような画像読み取り動作を原稿Ｐ全体にわたって実行することで、原稿Ｐの表面１枚分の原稿読み取りが完了する。
【００３５】
ここで、上述した画像読み取りにおいて、スキャナ光源３１あるいはＣＩＳ光源４１から照射される光の主走査方向の照度分布について説明する。
図４は、スキャナ光源３１の主走査方向の照度分布を説明するための図である。図４（ａ）は、第１の有機ＥＬ素子３１Ｌが照射する光の照度分布を示している。また、図４（ｂ）は、第２の有機ＥＬ素子３１Ｒが照射する光の照度分布を示している。図４（ｃ）は、第１の有機ＥＬ素子３１Ｌおよび第２の有機ＥＬ素子３１Ｒから原稿Ｐに向けて照射される光の照度分布を示している。
なお、以下の各照度分布は、ＣＩＳ光源４１に関しても同様である。また、図４に示す手前側、奥側の位置関係については、図２あるいは図３を参照しながら説明したものと対応している。
【００３６】
図４（ａ）に示すように、第１の有機ＥＬ素子３１Ｌの長手方向の照度分布は、給電端子３６が接続している側（手前側）が大きく、給電端子３６から遠ざかる（奥側に向かう）に従って光量が小さくなる。一方、図４（ｂ）に示すように、第２の有機ＥＬ素子３１Ｒの長手方向の照度分布は、給電端子３７が接続している側（奧側）の光量が大きく、給電端子３７から遠ざかる（手前側にくる）に従って光量が小さくなる。また、第１の有機ＥＬ素子３１Ｌおよび第２の有機ＥＬ素子３１Ｒに印加する電圧は略同じに設定されているため、両者の光量の最大値と最小値とは略同じになっている。
【００３７】
そして、図４（ｃ）に示すように、スキャナ光源３１から原稿Ｐに向けて照射される光の照度分布は、手前側から奥側にわたって光量が均一になっていることがわかる。このように、第１の有機ＥＬ素子３１Ｌの給電端子３６と、第２の有機ＥＬ素子３１Ｒの給電端子３７とを互い違いに配置することで、スキャナ光源３１全体として原稿Ｐに向けて照射する光の照度分布をスキャナ光源３１の長手方向にわたって均一にしている。すなわち、スキャナ光源３１の手前側から奧側にわたって照度ムラを抑制している。これにより、例えば上述したシェーディング補正等における補正の際に、スキャナ光源３１を起因とする光量ムラの補正量を小さくし、読み取り画像の解像度の低下を抑制している。
【００３８】
なお、実施形態１において、例えばスキャナ光源３１において４本の有機ＥＬ素子を取り付けた場合、有機ＥＬ素子に接続する給電端子を一端に偏らせて取り付けるのではなく、例えば手前側、奥側とで給電端子の数が同じになるように配置することで、上述したように、主走査方向（長手方向）にわたった照度分布を均一化させても良い。
また、例えばスキャナ光源３１に１本の有機ＥＬ素子を用いる場合には、透明正極を有機ＥＬ素子の副走査方向の中央部で分割し、さらに、分割した透明電極に対し手前側と奥側とにそれぞれ給電端子を接続することで同様に照度分布の均一化を図っても良い。
【００３９】
＜実施形態２＞
ここで、最近では画像読み取り装置の小型化の要請を受け、光学系の全長やＣＣＤイメージセンサ２７の長さを抑えるために、結像用レンズ２６として焦点距離の短いレンズが用いられるようになっている。この結果、結像用レンズ２６における所謂コサイン４乗則（ｃｏｓ４則）により、ＣＣＤイメージセンサ２７における受光光量がＣＣＤイメージセンサ２７の端部に向かうに従い低下してしまうという性質がある。
【００４０】
図５は、結像用レンズ２６のコサイン４乗則による光量低下を説明するための図である。
図５（ａ）はコサイン４乗則を説明するための図であり、図５（ｂ）はＣＣＤイメージセンサ２７にて受光される光の光量を説明する図である。
図５（ａ）に示すように、光軸上（光軸に対する角度θ＝０°）における像面照度を１とした場合、光軸に対する角度が１８°となる箇所の像面照度は、コサイン４乗則により、約０．８程度となる。また、光軸に対する角度が２７°となる箇所の像面照度は、約０．６程度となる。即ち、光軸から離れるに従い像面照度が低下する。
さらに、上記の内容をスキャナ装置２０に展開すると、図５（ｂ）に示すように、例えば白基準板８２に対し主走査方向にわたって光量が均一な光を照射したとき、ＣＣＤイメージセンサ２７が受光する際には、中央部と比較して両端部の光量が落ち込むことになる。
【００４１】
図６は、実施形態２が適用される画像読み取り装置１について説明するための図である。なお、実施形態１で既に説明した部材等と同様なものについては、同一の符号を付してその詳細な説明を省略する。
面光源あるいは長尺状光源として機能するスキャナ光源５１は、図６（ａ）に示す例では、画像読み取り位置を挟んで、フルレートキャリッジ２３のハウジングの左側に取り付けられる第３の有機ＥＬ素子５２と、右側に取り付けられる反射部材６１とを備えている。
【００４２】
第３の有機ＥＬ素子５２は、矩形状且つ平板状であり（図６（ｃ）参照）、画像読み取り装置１の主走査方向に伸びて設けられている。反射部材６１は、同様に矩形状を有する板状の部材であり、第３の有機ＥＬ素子５２と略平行に、第３の有機ＥＬ素子５２の発光面に対向して取り付けられている。この反射部材６１は、第３の有機ＥＬ素子５２から発せられた光のうち、原稿Ｐに向けて直接進行しない光を原稿Ｐに向けて反射するものである。
このように反射部材６１を設けることにより、画像読み取り位置を挟んで両端から効率的な光照射を行っている。また、画像読み取り位置に対して両端から光を照射し、例えば切り貼り等がなされた原稿Ｐを読み取る際に、切り貼り等の段差による影の発生を抑制している。
【００４３】
第３の有機ＥＬ素子５２は、図６（ｂ）示す例では、ガラス基材５３と、その上に形成される第１透明正極５４Ａおよび第２透明正極５４Ｂと、発光層５５と、負極５６とを備えている。そして、図６（ｃ）に示すように、第１透明正極５４Ａと第２透明正極５４Ｂとは、第３の有機ＥＬ素子５２の長手方向の略中央にて対称に設けられている。すなわち、第１透明正極５４Ａと第２透明正極５４Ｂとは正極層として分離しており、それぞれ手前側、奧側とで２つの領域を形成している。
なお、実施形態１における第１の有機ＥＬ素子３１Ｌの透明正極３３と比較すると、透明正極３３を主走査方向の略中央でスリットにより分割したように形成されている。そして、第１透明正極５４Ａおよび第２透明正極５４Ｂは、スリットを軸に対称となるように形成されている。
【００４４】
さらに、図６（ｂ）に示すように、第３の有機ＥＬ素子５２の長手方向の端部には、第１の給電端子５７と第２の給電端子５８とが各々接続している。第１の給電端子５７は、正極端子５７Ｐと負極端子５７Ｎを有している。そして、第３の有機ＥＬ素子５２の主走査方向の手前側にて、正極端子５７Ｐは第１透明正極５４Ａに、負極端子５７Ｎは負極５６に電気的に接続している。
一方、第２の給電端子５８は、正極端子５８Ｐと負極端子５８Ｎとを有している。そして、第３の有機ＥＬ素子５２の主走査方向の奥側にて、正極端子５８Ｐは第２透明正極５４Ｂに、負極端子５８Ｎは負極５６に電気的に接続している。よって、第３の有機ＥＬ素子５２に接続する第１の給電端子５７と第２の給電端子５８とは、第３の有機ＥＬ素子５２の長手方向において相反する端部に設けられている。また、第１の給電端子５７と第２の給電端子５８とは、主走査方向の中央部を軸に略対称に配置されている。
【００４５】
また、第１の給電端子５７および第２の給電端子５８は、各々不図示の電源に接続しており、予め定められたタイミングにて電源から電力の供給を受ける。
なお、スキャナ光源５１において、第１透明正極５４Ａと発光層５５と負極５６とによって第１の発光領域（第１の発光部）が構成され、第２透明正極５４Ｂと発光層５５と負極５６とによって第２の発光領域（第２の発光部）が構成される。
【００４６】
上記の内容をまとめると、図６（ｃ）に示すように、第３の有機ＥＬ素子５２における第１の発光領域は、一端５４Ａ１から他端５４Ａ２に向けて一方向に伸びている。一方、第３の有機ＥＬ素子５２における第２の発光領域は、一端５４Ｂ１から他端５４Ｂ２に向けて一方向に伸びている。そして、第１の発光領域の他端５４Ａ２と第２の発光領域の他端５４Ｂ２とが対向して直列に配置され、スキャナ光源５１を構成している。
また、スキャナ光源５１全体を長尺状光源としてみたときに、スキャナ光源５１の一端側（図６の例では手前側）に給電端子５７が配置され、スキャナ光源５１の他端側（図６の例では奧側）に給電端子５８が配置されている。
【００４７】
実施形態１において説明した場合と同様に実際に読み取り動作が実行されると第３の有機ＥＬ素子５２に対し、第１の給電端子５７および第２の給電端子５８によって電圧が印可される。なお、このとき第１の給電端子５７と第２の給電端子５８とによって印可される電圧は略同じに設定されている。
そして、第１の給電端子５７および第２の給電端子５８によって電圧が印可されると、第１の発光領域および第２の発光領域が発光し、スキャナ光源５１から原稿Ｐに向けて光が照射される。原稿Ｐを反射した光は、第１ミラー２５Ａ等によって結像用レンズ２６に導かれ、さらに、結像用レンズ２６によりＣＣＤイメージセンサ２７に結像される。
【００４８】
図７は、スキャナ光源５１の照射光およびＣＣＤイメージセンサ２７の受光光の照度分布について説明するための図である。
図７（ａ）はスキャナ光源５１から照射される光の主走査方向の照度分布を示しており、図７（ｂ）はＣＣＤイメージセンサ２７が受光する際の照度分布を示している。なお、この照度分布については、例えば上述した白基準板８２に対して光を照射した場合を例にしている。
【００４９】
図７（ａ）に示すように、第１の発光領域において第１の給電端子５７に近い領域の光量は大きく、第１の給電端子５７から遠い側の光量は小さくなっている。一方、第２の発光領域において第２の給電端子５８に近い領域の光量は大きく、第２給電端子５８から遠い側の光量は小さくなっている。このため、第３の有機ＥＬ素子５２全体で見れば、長手方向の両端部の光量と比較して、中央部の光量が小さくなっている。即ち、スキャナ光源５１では、第３の有機ＥＬ素子５２の主走査方向（長手方向）の略中央を中心に照度分布がほぼ対称となる。
【００５０】
図７（ａ）に示したように、実施形態２の第３の有機ＥＬ素子５２の特性は、両端部の光量よりも中央付近の光量が小さくなっている。一方、結像用レンズ２６の特性は、図５（ｂ）に示したように、透過光の光量が中央部よりも両端部で落ち込む。このため、第３の有機ＥＬ素子５２から照射され、結像用レンズ２６を透過した光は、第３の有機ＥＬ素子５２と結像用レンズ２６の特性により、結像用レンズ２６の主走査方向にわたって均一な状態に近づく。
すなわち、実施形態２におけるスキャナ光源５１は、主走査方向の中央部の光量が小さく両端側の光量が大きくなり、かつ、光軸上（図５参照）に対応する中央部を中心として照度分布をほぼ対称にしている。これにより、実施形態２の画像読み取り装置１では、結像用レンズ２６におけるコサイン４乗則の性質を考慮し、主走査方向にわたって照度分布の一様化を図っている。
【００５１】
なお、実施形態２のスキャナ光源５１において、画像読み取り位置を中心にして一方側に第３の有機ＥＬ素子５２を配置し、他方側に反射部材６１を対向配置させる例を用いて説明した。しかしながら、反射部材６１に代えて第３の有機ＥＬ素子５２をさらに設け、画像読み取り位置に向けて２本の第３の有機ＥＬ素子５２から光を照射するようにしても構わない。
【００５２】
また、ＣＩＳユニット４０におけるＣＩＳ光源４１に代えて、上記のスキャナ光源５１（第３の有機ＥＬ素子５２）を用いることもできる。この場合、第３の有機ＥＬ素子５２には両端から給電がなされるため、一方側に給電端子を備えた場合における他端側の光量低下に比べて、スキャナ光源５１における光量低下の落ち込み量は低減される。
【００５３】
次に、図８を参照しながら、上述した画像読み取り装置１の変形例（スキャナユニット７０を備える例）について説明する。なお、実施形態１あるいは実施形態２と同様な部材等については、同一の符号を付してその詳細な説明を省略する。
図８は、スキャナユニット７０を説明するための図である。
図８に示すように、スキャナユニット７０は、原稿Ｐに向けて光を照射するスキャナ光源３１、後段の結像用レンズ２６に原稿Ｐからの反射光を供給するミラー７１Ａ、７１Ｂ、７１Ｃ、７１Ｄ、結像用レンズ２６およびＣＣＤイメージセンサ２７を備えている。そして、スキャナユニット７０では、上記の部材が一つの筐体に纏められ一体となっている。
また、スキャナユニット７０は、フルレートキャリッジ２３（あるいはＣＩＳユニット４０）と同様に、第１プラテンガラス２２Ａに置かれた原稿Ｐをスキャンしたり、また、第２プラテンガラス２２Ｂの下方に静止して原稿送り装置１０により搬送される原稿Ｐの画像を読み取ったりするものである。
【００５４】
スキャナユニット７０に設けられるスキャナ光源３１は、実施形態１と同様に、第１の有機ＥＬ素子３１Ｌに接続する給電端子３６と、第２の有機ＥＬ素子３１Ｒに接続する給電端子３７とが主走査方向の一端側と他端側とに配置されている。
このようなスキャナユニット７０においても、有機ＥＬ素子に電気的に接続する給電端子の配置を上述のように設定することで、結像用レンズ２６におけるコサイン４乗則の性質を考慮し、主走査方向にわたって照度分布の一様化を図っている。そして、スキャナユニット７０においても、原稿Ｐの主走査方向にわたって均一な光照射を行いながら原稿Ｐの画像を読み取っている。
【００５５】
なお、上述した実施形態１および２が適用されるスキャナ光源３１に関し、第１の面発光部および第２の面発光部として、面状の導光板あるいは面状の拡散部材と、有機ＥＬ素子とを用いる構成を採用しても良い。即ち、導光板あるいは拡散部材の端部から有機ＥＬ素子によって光を入射させ、導光板あるいは拡散部材を面状に発光させる。このとき、実施形態１あるいは２において説明したように、有機ＥＬ素子に接続する給電端子を主走査方向において互い違いに取り付ける。
また、上述した実施形態１および２が適用される有機ＥＬ素子の構成に関して、透明正極を用いた例について説明した。しかしながら、有機ＥＬ素子の構造として透明正極を用いる例に限定する意味ではない。例えば、陰極層を透明陰極とする有機ＥＬ素子を用いても構わない。
【図面の簡単な説明】
【００５６】
【図１】実施形態１が適用される画像読み取り装置の全体構成を示す図である。
【図２】スキャナ光源を説明するための図である。
【図３】ＣＩＳユニットを説明するための図である。
【図４】スキャナ光源の主走査方向の照度分布を説明するための図である。
【図５】結像用レンズのコサイン４乗則による光量低下を説明するための図である。
【図６】実施形態２が適用される画像読み取り装置を説明するための図である。
【図７】スキャナ光源の照射光およびＣＣＤイメージセンサの受光光の照度分布について説明するための図である。
【図８】スキャナユニットを説明するための図である。
【符号の説明】
【００５７】
１…画像読み取り装置、１０…原稿送り装置、２０…スキャナ装置、２３…フルレートキャリッジ、３１…スキャナ光源、３１Ｌ…第１の有機ＥＬ素子、３１Ｒ…第２の有機ＥＬ素子、４０…ＣＩＳユニット、４１…ＣＩＳ光源、５１…スキャナ光源
【図１】
2010074720.tif 000003
【図２】
2010074720.tif 000004
【図３】
2010074720.tif 000005
【図４】
2010074720.tif 000006
【図５】
2010074720.tif 000007
【図６】
2010074720.tif 000008
【図７】
2010074720.tif 000009
【図８】
2010074720.tif 000010